(57)【要約】【課題】連結された部分がプロテクタの収容空間に露出することを抑えられるプロテクタを提供することを目的とする。【解決手段】第１プロテクタ部分１０ａは、第１本体部分１５ａと、第１本体部分１５ａの外周部分に設けられた第１連結部１６ａと、を有する。また、第２プロテクタ部分１０ｂは、第２本体部分１５ｂと、第２本体部分１５ｂの外周部分に設けられるとともに第１連結部１６ａに連結可能な第２連結部１６ｂと、を有する。第１連結部１６ａと第２連結部１６ｂとが連結されることで、第１プロテクタ部分１０ａと第２プロテクタ部分１０ｂとが連結されてプロテクタ１０が形成される。【選択図】図１
2012235575.tif 000002
【特許請求の範囲】
【請求項１】
第１本体部分と、前記第１本体部分に設けられた第１連結部と、を有する第１プロテクタ部分と、
第２本体部分と、前記第２本体部分に設けられるとともに前記第１連結部に連結可能な第２連結部と、を有する第２プロテクタ部分と、
を備え、
前記第１連結部と前記第２連結部とが、対向する前記第１本体部分と前記第２本体部分との端部の間又は前記第１本体部分と前記第２本体部分との外周で連結されることで、前記第１プロテクタ部分と前記第２プロテクタ部分とが連結されたプロテクタ。
【請求項２】
請求項１に記載のプロテクタであって、
前記第１連結部及び前記第２連結部は、前記第１プロテクタ部分の端部と前記第２プロテクタ部分の端部とを接触させつつスライド移動させて対向させることで、相互に嵌り込んで連結可能に構成されている、プロテクタ。
【請求項３】
請求項２に記載のプロテクタであって、
前記第１連結部と前記第２連結部とが相互に嵌り込んだ状態で、前記第１プロテクタ部分及び前記第２プロテクタ部分を押え付けつつ、前記第１プロテクタ部分と前記第２プロテクタ部分とに係止されるカバーをさらに備えるプロテクタ。
【請求項４】
請求項２または３に記載のプロテクタであって、
前記第１本体部分及び前記第２本体部分は、それぞれ底板部と前記底板部の両端から立ち上がる一対の側壁部とを有しており、
前記第１連結部は、前記第１本体部分が有する前記一対の側壁部の端縁部に沿って形成された連結穴を備え、
前記第２連結部は、前記第２本体部分が有する前記一対の側壁部の端縁部に沿って形成され、前記第１プロテクタ部分の端部と前記第２プロテクタ部分の端部とが対向した状態で、前記連結穴に嵌め込み可能な突起部を備える、プロテクタ。
【請求項５】
請求項２または３に記載のプロテクタであって、
前記第１本体部分及び前記第２本体部分は、それぞれ底板部と前記底板部の両端から立ち上がる一対の側壁部とを有しており、
前記第１連結部は、前記第１本体部分が有する前記一対の側壁部の外側の側面に突設された突起部を備え、
前記第２連結部は、前記第２本体部分が有する前記一対の側壁部の外側の側面からその端面側に延出するように設けられており、前記第１本体部分の端面と前記第２本体部分の端面とが対向した状態で、前記突起部が嵌り込み可能な凹部が形成された形状を有しているプロテクタ。
【発明の詳細な説明】
【技術分野】
【０００１】
本発明は、ワイヤハーネスを保護するプロテクタに関する。
【背景技術】
【０００２】
自動車に配設されるワイヤハーネスは、樹脂成型品によって構成されたプロテクタで外装されることがある。プロテクタは、ワイヤハーネスを一定の配設経路に沿って位置決めするとともに外部の部材と接触しないように保護する役割等を有している。
【０００３】
このようなプロテクタの形状を一度に金型成形することが難しい場合等には、分割して別体のプロテクタ部分を成形し、これら分割したプロテクタ部分同士が連結されて１つのプロテクタに組み立てられる。
【０００４】
特許文献１には、底面に設けられたロック孔と両側壁に設けられたロック爪係止枠とを有する第１プロテクタと、底面に設けられたロック片と両側壁に設けられたロック爪とを有する第２プロテクタと、が連結されたプロテクタが開示されている。
【０００５】
また、特許文献２には、フック部が両側壁に設けられ、嵌合孔が底板に設けられた第１プロテクタと、係合孔が両側壁に設けられ、突起部が底板に設けられた第２プロテクタとが連結されたプロテクタが開示されている。
【０００６】
また、特許文献３には、カバー部が内側壁の周囲を覆うとともに貫通孔が内側壁の底板に設けられている第１プロテクタと、突起が底板に設けられており、底板と側壁とで構成された第２プロテクタとが開示されている。
【先行技術文献】
【特許文献】
【０００７】
【特許文献１】特開２００８−２７１６７２号公報
【特許文献２】特開２００１−９５１２６号公報
【特許文献３】特開２００８−２２８５３９号公報
【発明の概要】
【発明が解決しようとする課題】
【０００８】
しかしながら、特許文献１及び特許文献２では、第１プロテクタと第２プロテクタとの連結された部分が、連結された第１プロテクタと第２プロテクタとの内側空間、即ちワイヤハーネスが収容されるプロテクタの通線部の空間にはみ出てしまう。また、特許文献３では、第１プロテクタと第２プロテクタとの連結された部分が通線部の空間に露出する。従って、特許文献１〜３では、分割されたプロテクタの連結された部分がプロテクタに収容されたワイヤハーネスに接触して、ワイヤハーネスに外傷を与えるおそれがある。
【０００９】
本発明は上記課題に鑑みなされたものであり、連結された部分がプロテクタの収容空間に露出することを抑えられるプロテクタを提供することを目的とする。
【課題を解決するための手段】
【００１０】
第１の発明に係るプロテクタは、第１本体部分と、前記第１本体部分に設けられた第１連結部と、を有する第１プロテクタ部分と、第２本体部分と、前記第２本体部分に設けられるとともに前記第１連結部に連結可能な第２連結部と、を有する第２プロテクタ部分と、を備え、前記第１連結部と前記第２連結部とが、対向する前記第１本体部分と前記第２本体部分との端部の間又は前記第１本体部分と前記第２本体部分との外周で連結されることで、前記第１プロテクタ部分と前記第２プロテクタ部分とが連結されている。
【００１１】
第２の発明は、第１の発明に係るプロテクタであって、前記第１連結部及び前記第２連結部は、前記第１プロテクタ部分の端部と前記第２プロテクタ部分の端部とを接触させつつスライド移動させて対向させることで、相互に嵌り込んで連結可能に構成されている。
【００１２】
第３の発明は、第２の発明に係るプロテクタであって、前記第１連結部と前記第２連結部とが相互に嵌り込んだ状態で、前記第１プロテクタ部分及び前記第２プロテクタ部分を押え付けつつ、前記第１プロテクタ部分と前記第２プロテクタ部分とに係止されるカバーをさらに備える。
【００１３】
第４の発明は、第２または第３の発明に係るプロテクタであって、前記第１本体部分及び前記第２本体部分は、それぞれ底板部と前記底板部の両端から立ち上がる一対の側壁部とを有しており、前記第１連結部は、前記第１本体部分が有する前記一対の側壁部の端縁部に沿って形成された連結穴を備え、前記第２連結部は、前記第２本体部分が有する前記一対の側壁部の端縁部に沿って形成され、前記第１プロテクタ部分の端部と前記第２プロテクタ部分の端部とが対向した状態で、前記連結穴に嵌め込み可能な突起部を備える。
【００１４】
第５の発明は、第２または第３の発明に係るプロテクタであって、前記第１本体部分及び前記第２本体部分は、それぞれ底板部と前記底板部の両端から立ち上がる一対の側壁部とを有しており、前記第１連結部は、前記第１本体部分が有する前記一対の側壁部の外側の側面に突設された突起部を備え、前記第２連結部は、前記第２本体部分が有する前記一対の側壁部の外側の側面からその端面側に延出するように設けられており、前記第１本体部分の端面と前記第２本体部分の端面とが対向した状態で、前記突起部が嵌り込み可能な凹部が形成された形状を有している。
【発明の効果】
【００１５】
第１から第５の発明によれば、第１連結部と第２連結部とが、対向する第１本体部分と第２本体部分との端部の間又は第１本体部部分と第２本体部分との外周で連結されることで、第１プロテクタ部分と第２プロテクタ部分とが連結される。このため、第１連結部と第２連結部との連結された部分が、ワイヤハーネスが取り付けられるプロテクタの内側に露出することを抑えられる。
【００１６】
特に、第２の発明によれば、第１プロテクタ部分の端部と第２プロテクタ部分の端部とを接触させつつスライド移動させて対向させることで、第１連結部及び第２連結部が相互に嵌り込んで連結される。これによって、第１プロテクタ部分と第２プロテクタ部分とが連結されるため、当該連結作業を容易に行える。
【００１７】
特に、第３の発明によれば、第１連結部と第２連結部とが相互に嵌り込んだ状態で、カバーが第１プロテクタ部分及び第２プロテクタ部分を押え付けつつ、連結された第１プロテクタ部分と第２プロテクタ部分とに係止されるため、第１プロテクタ部分と第２プロテクタ部分とが半連結状態になることを抑制できる。
【００１８】
特に、第４の発明によれば、第１プロテクタ部分の端部と第２プロテクタ部分の端部とを、それぞれの側壁部の端縁部の延在方向に沿ってスライド移動させることで、第１連結部と第２連結部とが相互に嵌り込む。これにより、第１プロテクタ部分と第２プロテクタ部分とが連結され、当該連結作業を容易に行える。
【００１９】
特に、第５の発明によれば、第１本体部分の端面と第２本体部分の端面とを、それぞれの側壁部の端縁部の延在方向に沿ってスライド移動させることで、第１連結部と第２連結部とが相互に嵌り込む。これにより、第１プロテクタ部分と第２プロテクタ部分とが連結され、当該連結作業を容易に行える。
【図面の簡単な説明】
【００２０】
【図１】本発明の第１の実施形態に係るプロテクタの斜視図である。
【図２】第１の実施形態に係る第１プロテクタ部分の斜視図である。
【図３】第１の実施形態に係る第２プロテクタ部分の斜視図である。
【図４】第１プロテクタ部分と第２プロテクタ部分とが連結される様子を示す図である。
【図５】プロテクタの正面図である。
【図６】プロテクタとカバーとが連結される様子を示す図である。
【図７】連結されたプロテクタとカバーとの斜視図である。
【図８】本発明の第２の実施形態に係る第１プロテクタ部分と第２プロテクタ部分との斜視図である。
【図９】第２の実施形態に係るプロテクタの斜視図である。
【発明を実施するための形態】
【００２１】
以下、添付の図面を参照しながら、本発明の実施形態について説明する。以下の実施形態は、本発明を具体化した一例であって、本発明の技術的範囲を限定する事例ではない。
【００２２】
＜第１の実施形態＞
図１には、本発明の第１の実施形態にかかるプロテクタ１０が示されている。プロテクタ１０は、車両の車体パネルに沿って配設されるワイヤハーネスＷＨに外装される部材であり、ワイヤハーネスＷＨの配設経路に沿う形状を有する。なお、本実施形態では、プロテクタ１０は真っ直ぐなワイヤハーネスＷＨを収容する部材とする。
【００２３】
プロテクタ１０は、第１プロテクタ部分１０ａ及び第２プロテクタ部分１０ｂを備える。ワイヤハーネスＷＨは、プロテクタ１０、即ち連結された第１プロテクタ部分１０ａと第２プロテクタ部分１０ｂとの内部に配置される。この状態で、連結された第１プロテクタ部分１０ａと第２プロテクタ部分１０ｂとの開口にカバー２０が取り付けられる。
【００２４】
第１プロテクタ部分１０ａについて説明する。図２には、第１プロテクタ部分１０ａの斜視図が示されている。第１プロテクタ部分１０ａを構成する第１本体部分１５ａは、底板部１１ａと一対の側壁部１２ａとを備える。底板部１１ａは、第１プロテクタ部分１０ａの底面を構成する矩形の板部分である。側壁部１２ａは、底板部１１ａの外縁を構成する縁部のうち、平行な一対の縁部から、底板部１１ａの矩形面に直交する方向（以下において、立ち上がり方向と称する場合がある。）に立ち上がる板部分である。即ち、第１本体部分１５ａは断面がＵの字形状の部材である。
【００２５】
このような第１本体部分１５ａの一対の側壁部１２ａの一方の端縁部に第１連結部１６ａが設けられている。一対の第１連結部１６ａ各々は、一対の側壁部１２ａの立ち上がり方向に直交する方向の端縁部に設けられている。
【００２６】
第１連結部１６ａは円筒形状の部材である。本実施形態では、第１連結部１６ａの一側部が、底板部１１ａ側の側壁部１２ａの端部から立ち上がり方向に沿って側壁部１２ａのおよそ中間位置までの範囲で側壁部１２ａと一体化されている。なお、側壁部１２ａの厚みと第１連結部１６ａの直径とは同程度である。
【００２７】
第１連結部１６ａは、底板部１１ａとは反対側に位置する第１連結部１６ａの先端部に形成されたボス穴１６１を備える。ボス穴１６１は、第１連結部１６ａの軸線方向と同方向の軸線方向に沿って形成されており、少なくとも底板部１１ａとは反対側（上側）に開口している。つまり、ボス穴１６１は、側壁部１２ａの端縁部に沿って形成される。なお、ボス穴１６１が本実施形態での連結穴に相当する。
【００２８】
一対の側壁部１２ａの外側の側面にはメスロック部（ロック孔）１９ａが突設されている。
【００２９】
メスロック部１９ａは、側壁部１２ａから突設された一対の側枠部１９１ａと、一対の側枠部１９１ａの先端間を連結する外枠部１９２ａと、を備える。一対の側枠部１９１ａ、外枠部１９２ａ、及び側壁部１２ａで構成される孔の向きは、側壁部１２ａの立ち上がり方向に沿っている。
【００３０】
続いて、第２プロテクタ部分１０ｂについて説明する。図３には、第２プロテクタ部分１０ｂの斜視図が示されている。第２プロテクタ部分１０ｂが有する第２本体部分１５ｂは、第１プロテクタ部分１０ａが有する第１本体部分１５ａと同様の構造を有する。つまり、第２本体部分１５ｂは、底板部１１ｂと一対の側壁部１２ｂとを備えており、断面がＵの字形状で表される部材である。
【００３１】
このような第２本体部分の一対の側壁部１２ｂの端縁部に第２連結部１６ｂが設けられている。具体的には、一対の側壁部１２ｂの立ち上がり方向に直交する方向の端縁部に第２連結部１６ｂが設けられている。
【００３２】
第２連結部１６ｂは、第１ボス１６２と第１ボス１６２を支持するボス支持部１６３とが連結された構造を備える。第１ボス１６２とボス支持部１６３とはいずれも円柱形状の部材であって、同じ軸線方向を有する。なお、第１ボス１６２は、ボス支持部１６３と比較して断面の径が小さい。このような第１ボス１６２が本実施形態での突起部に相当し、第１連結部１６ａのボス穴１６１に嵌め込み可能である。
【００３３】
本実施形態では、第２連結部１６ｂが、底板部１１ｂとは反対側の側壁部１２ｂの端部（上端部）から立ち上がり方向に沿って端面のおよそ中間位置までの範囲を占めている。ボス支持部１６３の一側部が側壁部１２ｂの側縁部と一体化されており、第１ボス１６２が、底板部１１ｂ側のボス支持部１６３の端部に形成されている。つまり、第１ボス１６２は、側壁部１２ｂの端縁部に沿って形成されている。また、側壁部１２ｂの厚みと第２連結部１６ｂのボス支持部１６３の直径とは同程度である。
【００３４】
なお、底板部１１ｂは、底板部１１ｂの面方向に沿って第２連結部１６ｂの方向に延出している。この底板部１１ｂの延出部分は、ボス支持部１６３の断面の直径と同程度の長さを有することが望ましい。後述するように、第１プロテクタ部分１０ａと第２プロテクタ部分１０ｂとを連結した状態で、底板部１１ｂはボス支持部１６３間に介在し、プロテクタ１０の底側において隙間が生じないようにする。
【００３５】
一対の側壁部１２ｂの外側の側面にはメスロック部１９ｂが突設されている。メスロック部１９ｂは、メスロック部１９ａと同様の構造を有する。つまり、メスロック部１９ｂは、一対の側枠部１９１ｂと、外枠部１９２ｂとを備える。メスロック部１９ｂは、一対の側枠部１９１ｂ、外枠部１９２ｂ、及び側壁部１２ｂとで形成される孔の向きが、側壁部１２ｂの立ち上がり方向に沿うようにして、メスロック部１９ａと同程度の高さ位置に設けられている。図３に示されるように、例えばメスロック部１９ｂは、第２連結部１６ｂが設けられた側壁部１２ｂの端縁部の近傍で、底板部１１ｂとは反対側（上側）の側壁部１２ｂの縁部に設けられている。
【００３６】
図４には、第１プロテクタ部分１０ａと第２プロテクタ部分１０ｂとが連結される様子が示されている。第１連結部１６ａと第２連結部１６ｂとが連結されることで、第１プロテクタ部分１０ａと第２プロテクタ部分１０ｂとが連結される。具体的には、第１連結部１６ａが有するボス穴１６１に第２連結部１６ｂが有する第１ボス１６２が嵌まり込んで、プロテクタ１０が形成される。
【００３７】
第１プロテクタ部分１０ａと第２プロテクタ部分１０ｂとの連結作業について説明する。まず、第１連結部１６ａと第２連結部１６ｂとが同一直線上に配設されるようにしつつ、第１プロテクタ部分１０ａのうち第１連結部１６ａが設けられた側の端部（側壁部１２ａ及び底板部１１ａの端面と第１連結部１６ａの一側部）と第２プロテクタ部分１０ｂのうち第２連結部１６ｂが設けられた側の端部（側壁部１２ｂ及び底板部１１ｂの端面と第２連結部１６ｂの一側部）とを接触させる。
【００３８】
上記接触状態を維持しつつ、第１連結部１６ａが有する第１ボス１６２が、第２連結部１６ｂが有するボス穴１６１に嵌り込むように、第１プロテクタ部分１０ａと第２プロテクタ部分１０ｂとを相対的にスライド移動させて対向させる。これにより、第１プロテクタ部分１０ａの端部と第２プロテクタ部分１０ｂの端部とが対向接触した状態で、第１連結部１６ａと第２連結部１６ｂとが連結されて、プロテクタ１０が形成される。
【００３９】
図５には、連結された状態の第１プロテクタ部分１０ａと第２プロテクタ部分１０ｂとが示されている。連結された状態の第１プロテクタ部分１０ａ及び第２プロテクタ部分１０ｂでは、第１ボス１６２がボス穴１６１に嵌り込んでいる。従って、プロテクタ１０では、連結状態の第１連結部１６ａと第２連結部１６ｂとが、一対の側壁部１２ａと一対の側壁部１２ｂとの間の部分の側壁を形成する。また、第２本体部分１５ｂが有する底板部１１ｂの第２連結部１６ｂ側への延出部分が、プロテクタ１０の側壁の一部を形成する連結状態の第１連結部１６ａ及び第２連結部１６ｂ（以下において、連結部１６ａ，１６ｂとも称する場合がある。）の部分に対応する底面を形成する。
【００４０】
この状態では、第１連結部１６ａと第２連結部１６ｂとは、第１本体部分１５ａと第２本体部分１５ｂとの間で連結されており、その連結構造部分（特に、第１ボス１６２とボス穴１６１との嵌り込み部分）は、プロテクタ１０内に露出していない。露出しているのは、第１連結部１６ａの曲面状とボス支持部１６３の外周部とが連続する曲面状外周部である。
【００４１】
連結された状態の第１プロテクタ部分１０ａ及び第２プロテクタ部分１０ｂでは、第１連結部１６ａの一側部と第２本体部分１５ｂの端面とが接触し、さらに第２連結部１６ｂの一側部と第１本体部分１５ａの端面とが接触している。
【００４２】
従って、何らかの力が、プロテクタ１０の両端に作用しても、第１プロテクタ部分１０ａと第２プロテクタ部分１０ｂとの境界で曲り或は分離することを抑えられる。なお、本実施形態に係るプロテクタ１０では、第１連結部１６ａの長さ及び第２連結部１６ｂの長さによらず、プロテクタ１０の曲り或は分離を抑えられる。もっとも、連結部１６ａ，１６ｂが長くなることで接触面が増えるため、より確実にプロテクタ１０の曲り或は分離を抑えられる。
【００４３】
プロテクタ１０では、底板部１１ａとは反対側の第１本体部分１５ａの端部（つまり、開口側の端部）と、底板部１１ｂとは反対側の第２本体部分１５ｂの端部（つまり、開口側の端部）及び第２連結部１６ｂの端部とは面一の配置構成である。
【００４４】
また、第１本体部分１５ａが備える底板部１１ａ及び一対の側壁部１２ａと、第２本体部分１５ｂが備える底板部１１ａ及び一対の側壁部１２ａとは重ね合わされることなく並んで配置されている。
【００４５】
図６には、カバー２０がプロテクタ１０に係止される様子が示されている。カバー２０は、プロテクタ１０の開口部、少なくとも、第１プロテクタ部分１０ａと第２プロテクタ部分１０ｂとに跨る開口部を閉塞可能に構成されている。
【００４６】
ここでは、カバー２０は、天井板部２２の両側部に一対の側壁部２５が形成された断面略Ｕ字状に形成されている。もっとも、カバー２０の深さは、プロテクタ１０の深さよりも浅い。このカバー２０の一対の側壁部２５の外面であってプロテクタ１０側のメスロック部１９ａ，１９ｂに対応する各位置に、オスロック部（ロック爪）２１ａ，２１ｂが形成されている。
【００４７】
オスロック部（ロック爪）２１ａ，２１ｂは、一対の側壁部２５の外面からその端面側（下面側）に延出している。オスロック部２１ａ，２１ｂは、各々平板状でカバー２０の面から突出する係止片２１１ａ，２１１ｂと、係止片２１１ａ，２１１ｂの外面に設けられた爪部２１２ａ，２１２ｂとを備える。これらのオスロック部２１ａ，２１ｂがそれぞれ、プロテクタ１０の側壁部１２ａ，１２ｂの外面に設けられたメスロック部１９ａ，１９ｂに嵌め込まれる。
【００４８】
図７には、カバー２０とプロテクタ１０との合体状態が示されている。図７に示されるように、オスロック部２１ａ，２１ｂがメスロック部１９ａ，１９ｂに係止されることで、プロテクタ１０とカバー２０とが合体する。具体的には、オスロック部２１ａ，２１ｂがメスロック部１９ａ，１９ｂの孔に嵌り込んで、オスロック部２１ａ，２１ｂの爪部２１２ａ，２１２ｂの端面がメスロック部１９ａ，１９ｂの外枠部１９２ａ，１９２ｂの端面に当接した状態となる。このような状態が、オスロック部２１ａ，２１ｂがメスロック部１９ａ，１９ｂに係止された状態である。
【００４９】
以上のように、本実施形態に係るプロテクタ１０は、第１連結部１６ａと第２連結部１６ｂとが連結されて、第１プロテクタ部分１０ａと第２プロテクタ部分１０ｂとが連結された構造を有する。第１連結部１６ａと第２連結部１６ｂとは、対向する第１本体部分１５ａ及び第２本体部分１５ｂとの端部の間に設けられており、第１連結部１６ａが有するボス穴１６１と第２連結部１６ｂが有するボス１６２とが相互に嵌り込んで連結される。
【００５０】
本実施形態では、第１連結部１６ａが有するボス穴１６１と第２連結部１６ｂが有するボス１６２とは、それぞれ側壁部１２ａ，１２ｂの端縁部に沿って形成されている。従って、第１連結部１６ａと第２連結部１６ｂとの連結された部分、即ちボス穴１６１と第１ボス１６２との連結部分が、プロテクタ１０におけるワイヤハーネスの通線部の空間に露出することを抑えられる。従って、プロテクタ１０に配設されるワイヤハーネスが、第１連結部１６ａと第２連結部１６ｂとの連結された部分に接触して、外傷を与えられることを抑えられる。
【００５１】
また、一般的に、通線部にはみ出した連結部１６ａ，１６ｂの連結された部分は通線部の空間を部分的に狭める。従って、プロテクタ１０が本来収容可能な径よりも小さい径のワイヤハーネスしか収容することができなくなる。換言すれば、収容率、即ちプロテクタ１０の断面積に対する、収容されるワイヤハーネスの断面積の割合が低下する。
【００５２】
本実施形態に係るプロテクタ１０では、第１連結部１６ａ及び第２連結部１６ｂの幅は側壁部１２ａ、側壁部１２ｂの端面の幅と同じ程度に抑えることができる。従って、連結部１６ａ，１６ｂがプロテクタ１０の通線部の空間に張り出すことを抑えられる。このため、プロテクタ１０は本来収容可能な径を有するワイヤハーネスを収容することが可能であり、収容率が低下することを抑えられる。
【００５３】
また、カバー２０に取り付けられたオスロック部２１ａ，２１ｂが、連結された状態の第１プロテクタ部分１０ａ及び第２プロテクタ部分１０ｂに設けられたメスロック部１９ａ，１９ｂに嵌め込まれる。これによって、カバー２０は、連結された第１プロテクタ部分１０ａ及び第２プロテクタ部分１０ｂに対して係止される。
【００５４】
カバー２０のオスロック部２１ａ，２１ｂが、連結された第１プロテクタ部分１０ａと第２プロテクタ部分１０ｂが備えるメスロック部１９ａ，１９ｂに嵌め入れられる。このとき、オスロック部２１ａ，２１ｂの爪部２１２ａ，２１２ｂの基端側端面がメスロック部１９ａ，１９ｂの外枠部１９２ａ，１９２ｂの挿入方向前方の端面（下面）に当接した状態が、オスロック部２１ａ，２１ｂがメスロック部１９ａ，１９ｂに完全に係止した状態である。
【００５５】
この状態では、カバー２０の一対の側壁部２５は、直線状に配置された第１プロテクタ部分１０ａの一対の側壁部１２ａの端面（上端面）と第２プロテクタ部分１０ｂの一対の側壁部１２ｂの端面（上端面）とに当接すると共に、第２連結部１６ｂの端部（上端部）にも当接している。これにより、カバー２０が、連結された第１プロテクタ部分１０ａと第２プロテクタ部分１０ｂとを押さえつけている。つまり、第１連結部１６ａと第２連結部１６ｂとが完全に連結した状態（第１ボス１６２がボス穴１６１に完全に嵌まった状態）で、オスロック部２１ａ，２１ｂがメスロック部１９ａ，１９ｂの完全に係止した状態が成立する。
【００５６】
従って、カバー２０のオスロック部２１ａ，２１ｂをメスロック部１９ａ，１９ｂに係止させる過程で、カバー２０の一対の側壁部２５が、第１プロテクタ部分１０ａの一対の側壁部１２ａの端面（上端面）と第２プロテクタ部分１０ｂの一対の側壁部１２ｂの端面（上端面）とを押え付けて直線状に揃える。
【００５７】
このようにして、第１連結部１６ａと第２連結部１６ｂとの連結状態が不十分で、第１プロテクタ部分１０ａと第２プロテクタ部分１０ｂとが半連結状態であっても、第１連結部１６ａと第２連結部１６ｂとが完全に連結され、第１プロテクタ部分１０ａと第２プロテクタ部分１０ｂとが完全に連結された状態となる。換言すれば、カバー２０のオスロック部２１ａ，２１ｂとメスロック部１９ａ，１９ｂとが未係止状態であれば（係止作業時に発生するであろう音、振動が発生していないのであれば）第１プロテクタ部分１０ａと第２プロテクタ部分１０ｂとが完全に連結されていないと認識できる。このため、第１プロテクタ部分１０ａと第２プロテクタ部分１０ｂとの不完全連結を抑制することができる。
【００５８】
なお、カバー２０の押し込みの力が連結部１６ａ，１６ｂに対して強く作用するため、メスロック部１９ａ，１９ｂは、連結部１６ａ，１６ｂが設けられた端縁部に近い位置に設けられていることが望ましい。
【００５９】
また、カバー２０が連結された第１プロテクタ部分１０ａと第２プロテクタ部分１０ｂとが押さえ付けられた状態を維持するため、連結された状態の第１プロテクタ部分１０ａと第２プロテクタ部分１０ｂとの位置ずれを抑制できる。つまり、カバー２０が係止されることによって、第１連結部１６ａと第２連結部１６ｂとの連結状態が維持されるため、第１プロテクタ部分１０ａと第２プロテクタ部分１０ｂとが不完全な連結状態になることを抑えられる。
【００６０】
＜第２の実施形態＞
本発明は、上記第１の実施形態に限られるものではない。例えば、図８及び図９に示される形態であっても構わない。図８には、第２の実施形態に係る第１プロテクタ部分５０ａ及び第２プロテクタ部分５０ｂが示されている。また、図９には第２の実施形態に係るプロテクタ５０が示されている。
【００６１】
図８では、第１連結部１７ａ及び第２連結部１７ｂが、側壁部１２ａ，１２ｂの端面ではなく、第１本体部分１５ａ及び第２本体部分１５ｂの外周部分である、側壁部１２ａ，１２ｂの外側の側面に設けられている。なお、図８及び図９には、図示の都合上、メスロック部１９ａ，１９ｂが記載されていないが、実際は第１の実施形態と同様に設けられているものとする。
【００６２】
具体的に、第１連結部１７ａは、本実施形態での突起部に相当する第２ボス１７１を有しており、第２ボス１７１が第１本体部分１５ａの一対の側壁部１２ａ各々の外側の側面に突設されている。なお、第２ボス１７１は円柱形状、つまり断面が円形の柱状部材である必要はなく、例えば断面が楕円形、四角形、さらに多角形など、その他の形状であっても構わない。
【００６３】
第２連結部１７ｂが、第２本体部分１５ｂの側壁部１２ｂ各々の外側の側面に設けられている。第２連結部１７ｂは、底板部１１ａとは反対側の側壁部１２ａの端縁部に設けられており、第２本体部分１５ｂから、立ち上がり方向に直交する一方の方向に延び出た部分である。第２連結部１７ｂの先端には、第２ボス１７１の直径と同程度の開口幅を有し、第２ボス１７１が嵌り込むことが可能なボス溝１７２が形成されている。このようなボス溝１７２が本実施形態での凹部に相当する。なお、ボス溝１７２は、ボス１７１が嵌り込むことが可能であれば、どのような形状であってもよいが、接触面が多くなるように、ボス１７１の断面形状に応じた形状であることが望ましい。
【００６４】
ボス溝１７２が、第１プロテクタ部分５０ａの第２ボス１７１の外周面に嵌り込むことで、第１プロテクタ部分５０ａと第２プロテクタ部分５０ｂとが連結される。本実施形態では、ボス溝１７２の開口部が立ち上がり方向に沿って設けられている。従って、第１本体部分１５ａの端面と第２本体部分１５ｂの端面とを接触させつつ対向させた状態で、第１プロテクタ部分５０ａが第２プロテクタ部分５０ｂに対して相対的にスライド移動される。これによって、第１連結部１７ａと第２連結部１７ｂとが相互に嵌り込んで連結される。このように、第２ボス１７１がボス溝１７２に嵌り込むことによって、第１プロテクタ部分５０ａと第２プロテクタ部分５０ｂとが連結されてプロテクタ５０が形成される。
【００６５】
形成されたプロテクタ５０では、第１プロテクタ部分５０ａの底板部１１ａ及び側壁部１２ａの端面と、第２プロテクタ部分５０ｂの底板部１１ｂ及び側壁部１２ｂの端面とが接触している。
【００６６】
以上のように、本実施形態では、第１プロテクタ部分５０ａと第２プロテクタ部分５０ｂとを連結する第１連結部１７ａ及び第２連結部１７ｂが、側壁部１２ａ，１２ｂの外側の側面に設けられている。第１連結部１７ａ及び第２連結部１７ｂが第１本体部分１５ａ及び第２本体部分１５ｂの外周面に設けられているため、本実施形態に係るプロテクタ５０は、第１の実施形態と同様の効果を得られる。
【００６７】
特に、本実施形態の場合、第１本体部分１５ａと第２本体部分１５ｂとが直接接触するため、連結部１７ａ，１７ｂがプロテクタ５０の通線部に張り出すことを確実に抑えられる。
【符号の説明】
【００６８】
１０  プロテクタ
１０ａ  第１プロテクタ部分
１０ｂ  第２プロテクタ部分
１１ａ，１１ｂ  底板部
１２ａ，１２ｂ  側壁部
１６ａ  第１連結部
１６ｂ  第２連結部
１９ａ，１９ｂ  メスロック部
２０  カバー
２１ａ，２１ｂ  オスロック部
１６１  ボス孔
１６２  第１ボス
１７１  第２ボス
１７２  ボス溝
【図１】
2012235575.tif 000003
【図２】
2012235575.tif 000004
【図３】
2012235575.tif 000005
【図４】
2012235575.tif 000006
【図５】
2012235575.tif 000007
【図６】
2012235575.tif 000008
【図７】
2012235575.tif 000009
【図８】
2012235575.tif 000010
【図９】
2012235575.tif 000011